(57)【要約】【課題】連続する番号が割り当てられる車両用の番号標の受発注を自動化する番号標受発注システム、受注装置及び受注プログラムを提供する。【解決手段】発注装置１は、在庫の変化を示す変化情報を受注装置２へ送信する（Ｓ１０２）。受注装置２は、変化情報に基づいて、当該発注事業所における番号標の在庫が、発注条件に該当するか否かを判別する（Ｓ１０４）。該当する場合（Ｓ１０４：ＹＥＳ）、受注装置２は、発注の候補となる番号標の開始番号及び終了番号を決定し（Ｓ１０５）、開始番号及び終了番号並びに欠番テーブルに記録されている欠番情報に基づいて、発注の候補となる候補番号を決定する（Ｓ１０６）。受注装置２は、候補番号を発注装置１へ送信する（Ｓ１０７）。発注装置１は、候補番号に基づき確定された発注内容に係る発注確定情報を受注装置２へ送信する（Ｓ１１１）。【選択図】図９
2015045991.tif 000002
【特許請求の範囲】
【請求項１】
連続する番号が割り当てられる車両用の番号標の発注を支援する発注装置と、前記発注装置と通信する通信手段を有し、前記発注装置からの発注に対する受注を支援する受注装置とを備える番号標受発注システムであって、
前記受注装置は、
受注に基づく番号標の納入から除外する番号を示す欠番情報を記録する欠番テーブルを備え、
前記発注装置からの発注の候補となる番号標の開始番号及び終了番号を決定する手段と、
決定した開始番号及び終了番号、並びに前記欠番テーブルに記録されている欠番情報が示す番号に基づいて、番号標の発注の候補となる候補番号を決定する手段と、
決定した候補番号を示す候補番号情報を、前記発注装置へ送信する候補番号情報送信手段と
を備えることを特徴とする番号標受発注システム。
【請求項２】
請求項１に記載の番号標受発注システムであって、
前記受注装置は、更に、
受注に基づき納入した番号標の在庫を示す在庫情報を、前記発注装置に対応付けて記録する在庫データベースと、
番号標の在庫に基づいて発注を促す発注条件を示す発注条件情報を、前記発注装置に対応付けて記録する発注条件テーブルと
を備え、
前記発注装置は、
在庫の変化を示す変化情報を前記受注装置へ送信する手段を備え、
前記受注装置は、更に、
受信した変化情報に基づいて、前記在庫データベースに記録されている在庫情報を更新する手段と、
前記更新後の情報にて示される在庫が、前記発注条件テーブルに記録されている発注条件情報にて示される発注条件に該当するか否かを判別する手段と
を備え、
前記候補番号情報送信手段は、発注条件に該当すると判別した場合に候補番号情報を送信する
ことを特徴とする番号標受発注システム。
【請求項３】
請求項１又は請求項２に記載の番号標受発注システムであって、
前記発注装置は、更に、
欠番情報を送信する手段を備え、
前記受注装置は、更に、
受信した欠番情報を、送信元の前記発注装置に対応付けて前記欠番テーブルに記録する手段を備える
ことを特徴とする番号標受発注システム。
【請求項４】
連続する番号が割り当てられる車両用の番号標の発注に対する受注を支援する受注装置であって、
納入から除外する番号を示す欠番情報を記録する欠番テーブルを備え、
発注の候補となる番号標の開始番号及び終了番号を決定する手段と、
決定した開始番号及び終了番号、並びに前記欠番テーブルに記録されている欠番情報が示す番号に基づいて、番号標の発注の候補となる候補番号を決定する手段と、
決定した候補番号を示す候補番号情報を送信する手段と
を備えることを特徴とする受注装置。
【請求項５】
コンピュータに、連続する番号が割り当てられる車両用の番号標の発注に対する受注を支援させる受注プログラムであって、
コンピュータに、
発注の候補となる番号標の開始番号及び終了番号を決定する手順と、
決定した開始番号及び終了番号、並びに受注に基づく番号標の納入から除外する番号を示す欠番情報を予め記録している欠番テーブルに記録されている欠番情報が示す番号に基づいて、番号標の発注の候補となる候補番号を決定する手順と、
決定した候補番号を示す候補番号情報を送信する手順と
を実行させることを特徴とする受注プログラム。
【発明の詳細な説明】
【技術分野】
【０００１】
連続する番号が割り当てられる車両用の番号標の発注を支援する発注装置と、発注装置と通信する通信手段を有し、発注装置からの発注に対する受注を支援する受注装置とを備える番号標受発注システム、そのような番号標受発注システムにて用いられる受注装置、及びそのような受注装置を実現するための受注プログラムに関する。
【背景技術】
【０００２】
自動車の前後に取り付けられるナンバープレート等の番号標は、プレス加工により成形された後、検査工程等の様々な工程を経て、梱包の上、出荷される。標板の検査方法については、例えば特許文献１に開示されている。
【０００３】
番号標の出荷は、各地域の事業所からの発注に基づいて行われる。
【先行技術文献】
【特許文献】
【０００４】
【特許文献１】特開２０１０−１３９４７２号公報
【発明の概要】
【発明が解決しようとする課題】
【０００５】
しかしながら、特許文献１には、番号標の生産に関する各工程については記載されているものの、番号標の受発注については開示されていない。実際の番号標の受発注は、例えば、各地域の発注事業所から、番号標の生産又は管理を行う生産事業所へ、発注する番号を手書きした発注書をファクシミリ等の通信手段により伝達することにより行われるため、人手による作業が大部分を占めるという問題がある。
【０００６】
本発明は斯かる事情に鑑みてなされたものであり、標板の受発注に関する作業を簡略化することが可能な番号標受発注システムの提供を目的とする。
【０００７】
また、本発明は、標板の受発注に関する作業を簡略化することが可能な受注装置の提供を他の目的とする。
【０００８】
また、本発明は、標板の受発注に関する作業を簡略化することが可能な受注装置を実現するための受注プログラムの提供を更に他の目的とする。
【課題を解決するための手段】
【０００９】
上記課題を解決するために、本発明に係る番号標受発注システムは、連続する番号が割り当てられる車両用の番号標の発注を支援する発注装置と、前記発注装置と通信する通信手段を有し、前記発注装置からの発注に対する受注を支援する受注装置とを備える番号標受発注システムであって、前記受注装置は、受注に基づく番号標の納入から除外する番号を示す欠番情報を記録する欠番テーブルを備え、前記発注装置からの発注の候補となる番号標の開始番号及び終了番号を決定する手段と、決定した開始番号及び終了番号、並びに前記欠番テーブルに記録されている欠番情報が示す番号に基づいて、番号標の発注の候補となる候補番号を決定する手段と、決定した候補番号を示す候補番号情報を、前記発注装置へ送信する候補番号情報送信手段とを備えることを特徴とする。
【００１０】
また、本発明に係る受注装置は、連続する番号が割り当てられる車両用の番号標の発注に対する受注を支援する受注装置であって、納入から除外する番号を示す欠番情報を記録する欠番テーブルを備え、発注の候補となる番号標の開始番号及び終了番号を決定する手段と、決定した開始番号及び終了番号、並びに前記欠番テーブルに記録されている欠番情報が示す番号に基づいて、番号標の発注の候補となる候補番号を決定する手段と、決定した候補番号を示す候補番号情報を送信する手段とを備えることを特徴とする。
【００１１】
また、本発明に係る受注プログラムは、コンピュータに、連続する番号が割り当てられる車両用の番号標の発注に対する受注を支援させる受注プログラムであって、コンピュータに、発注の候補となる番号標の開始番号及び終了番号を決定する手順と、決定した開始番号及び終了番号、並びに受注に基づく番号標の納入から除外する番号を示す欠番情報を予め記録している欠番テーブルに記録されている欠番情報が示す番号に基づいて、番号標の発注の候補となる候補番号を決定する手順と、決定した候補番号を示す候補番号情報を送信する手順とを実行させることを特徴とする。
【発明の効果】
【００１２】
本発明に係る番号標受発注システム、受注装置及び受注プログラムは、番号標の受注を支援する受注装置において、発注の候補となる開始番号及び終了番号、並びに番号標の納入から除外する欠番に基づいて、発注の候補となる候補番号を決定し、番号標の発注を支援する発注装置へ送信する。これにより、発注元となる各地域の発注事業所及び受注する受注事業体は、受発注に関する作業を自動化することが可能である等、優れた効果を奏する。
【図面の簡単な説明】
【００１３】
【図１】本発明に係る番号標受発注システムの一例を概念的に示す説明図である。
【図２】本発明に係る番号標受発注システムが備える発注装置のハードウェア構成の一例を示すブロック図である。
【図３】本発明に係る番号標受発注システムが備える受注装置のハードウェア構成の一例を示すブロック図である。
【図４】本発明に係る受注装置が備える全在庫データベースの記録内容の一例を概念的に示す説明図である。
【図５】本発明に係る受注装置が備える受注データベースの記録内容の一例を概念的に示す説明図である。
【図６】本発明に係る受注装置が備える全納入データベースの記録内容の一例を概念的に示す説明図である。
【図７】本発明に係る受注装置が備える欠番マスタの記録内容の一例を概念的に示す説明図である。
【図８】本発明に係る受注装置が備える発注点マスタの記録内容の一例を概念的に示す説明図である。
【図９】本発明の番号標受発注システムにて用いられる発注装置及び受注装置の受発注処理の一例を示すフローチャートである。
【図１０】本発明の番号標受発注システムにて用いられる発注装置及び受注装置の欠番情報同期処理の一例を示すフローチャートである。
【発明を実施するための形態】
【００１４】
以下、本発明の実施形態について図面を参照しながら説明する。なお、以下の実施形態は、本発明を具現化した一例であって、本発明の技術範囲を限定するものではない。
【００１５】
図１は、本発明に係る番号標受発注システムの一例を概念的に示す説明図である。本発明に係る番号標受発注システムは、車両に取り付けられるナンバープレート、即ち自動車登録番号標、車両番号標等の番号標の受発注に関するシステムである。番号標には、地名、車両の用途等の各種情報を示す数字、かな等の各種符号にて示される区分と、一連指定番号と呼ばれる１〜４桁の数字で示される連続する番号とが割り当てられている。一連指定番号は、原則として若い順（小さい順）から順番に連続して払い出されるが、「４２」等の縁起が悪いとされる番号は、欠番となり、連続する番号の払い出しから除外される。また、希望番号制度により指定された番号、希望が多いため抽選となる「７７７」等の番号は、別途払い出しが行われるため、連続する番号の払い出しからは除外される。
【００１６】
番号標の発注元は、各地方の陸運局に属する都道府県毎に設置された陸運支局に係る地域毎の発注事業所であり、受注先は、標板を製造する製造事業体である。発注事業所は、製造事業体に対して番号標を発注し、製造事業体は、発注された番号標を製造し、製造した番号標を発注事業所に納入する。発注事業者は、納入された番号標を、例えば、車両の登録者に対して順番に出荷する。
【００１７】
発注元となる各地域の発注事業所は、番号標の発注を支援する発注装置１をそれぞれ管理しており、受注先の製造事業体は、発注装置１からの発注に対する受注を支援する受注装置２を管理している。各発注装置１及び受注装置２は、ＷＡＮ（Wide Area Network ）、専用通信網、ＶＰＮ（Virtual Private Network ）、インターネット等の通信網ＮＷにて通信可能に接続されている。
【００１８】
次に、本発明に係る番号標受発注システムのハードウェア構成について説明する。図２は、本発明に係る番号標受発注システムが備える発注装置１のハードウェア構成の一例を示すブロック図である。発注装置１は、例えば、端末装置として用いられるクライアントコンピュータ等のコンピュータを用いた装置であり、制御部１０、記録部１１、記憶部１２、通信部１３、入力部１４、出力部１５等の各種機構を備えている。
【００１９】
制御部１０は、ＣＰＵ（Central Processing Unit ）等の回路を用いて構成される機構であり、装置全体を制御する。
【００２０】
記録部１１は、ＨＤＤ（Hard Disk Drive）等の磁気記録機構、ＳＳＤ（Solid State Disk）等の不揮発性半導体記録機構等の不揮発性の記録機構である。
【００２１】
記憶部１２は、ＳＤＲＡＭ（Synchronous Dynamic Random Access Memory）、ＳＲＡＭ（Static Random Access Memory）等の揮発性の主記憶機構である。
【００２２】
通信部１３は、通信網ＮＷに接続する通信用ポート及びその付属回路を有する機構であり、通信部１３により通信網ＮＷに接続することにより、他の装置と通信することが可能となる。
【００２３】
入力部１４は、作業者の入力操作を受け付けるキーボード、マウス等のハードウェア及びその付属回路等の機構である。
【００２４】
出力部１５は、演算結果を出力するモニタ、プリンタ等のハードウェア及びその付属回路等の機構である。
【００２５】
発注装置１が備える記録部１１の記録領域の一部は、在庫データベース１１０、発注データベース１１１、納入データベース１１２等のデータベース、及び欠番マスタ１１３等のデータテーブルとして用いられている。そして、制御部１０は、必要に応じて各種データベース及びデータテーブルにアクセスし、各種情報の読み取り及び書き込みをすることができる。なお、記録部１１の記録領域の一部を、各種データベース及びデータテーブルとして用いるのではなく、通信線又は通信網ＮＷを介して接続される他の装置の記録領域を各種データベース及びデータテーブルとして用い、必要に応じてアクセスするようにしても良い。
【００２６】
在庫データベース１１０は、当該発注装置１に係る発注事業所にて管理する番号標の在庫に係る情報を在庫情報として記録するデータベースである。発注データベース１１１は、当該発注装置１に係る発注事業所から製造事業体へ発注する番号標に係る情報を発注情報として記録するデータベースである。納入データベース１１２は、当該発注装置１に係る発注事業所に対し、製造事業体から納入された番号標に係る情報を納入情報として記録するデータベースである。欠番マスタ１１３は、一連指定番号の払い出しから除外する欠番、指定番号等の番号を示す欠番情報を記録するデータテーブルである。なお、各データベース及びデータテーブルの内容の詳細については、受注装置２が備えるデータベース及びデータテーブルの説明の際に併せて説明する。
【００２７】
なお、ここでは説明の便宜上、１台の装置を用いて発注装置１を構成する形態を示しているが、各種データベースを記録したデータベースサーバコンピュータ、担当者が操作する端末用クライアントコンピュータ、その他データの入出力用の装置等の複数台の装置を連携させて構成しても良い。
【００２８】
図３は、本発明に係る番号標受発注システムが備える受注装置２のハードウェア構成の一例を示すブロック図である。受注装置２は、例えば、端末装置として用いられるクライアントコンピュータ等のコンピュータを用いた装置であり、制御部２０、記録部２１、記憶部２２、通信部２３、入力部２４、出力部２５等の各種機構を備えている。
【００２９】
受注装置２が備える記録部２１の記録領域の一部は、コンピュータを本発明に係る受注装置２として機能させるための受注プログラムＰＲＧ等の各種プログラム及びデータ等の情報が記録されている。そして、記録装置に記録されている受注プログラムＰＲＧ等の情報を読み取り、記憶部２２に記憶させて、制御部２０の制御に基づき受注プログラムＰＲＧに含まれる各種手順を実行することにより、コンピュータは、本発明に係る受注装置２として機能する。なお、受注プログラムＰＲＧは、ＣＤ−ＲＯＭ、ＤＶＤ−ＲＯＭ、ハードディスクドライブ、半導体メモリ等の各種メディア、又は通信網ＮＷを介して受注装置２が読み取り、記録部２１に記録される。
【００３０】
受注装置２が備える記録部２１の記録領域の一部は、全在庫データベース２１０、受注データベース２１１、全納入データベース２１２等のデータベース、全欠番マスタ２１３、発注点マスタ２１４等のデータテーブルとして用いられている。そして、制御部２０は、必要に応じて各種データベース及びデータテーブルにアクセスし、各種情報の読み取り及び書き込みをすることができる。なお、記録部２１の記録領域の一部を、各種データベース及びデータテーブルとして用いるのではなく、通信線又は通信網ＮＷを介して接続される他の装置の記録領域を各種データベース及びデータテーブルとして用い、必要に応じてアクセスするようにしても良い。
【００３１】
全在庫データベース２１０は、受注に基づき納入した番号標の在庫を示す在庫情報を、発注装置１に対応付けて記録するデータベースである。図４は、本発明に係る受注装置２が備える全在庫データベース２１０の記録内容の一例を概念的に示す説明図である。全在庫データベース２１０は、各発注装置１に記録されている在庫データベース１１０の記録内容を統合したデータベースであり、発注装置１毎に管理されるデータベースの内容が記録されている。具体的には、発注装置１に対応付けて、番号標の地名、種類、用途、種別、大小、枚数、分類、かな等の区分及び一連指定番号が記録されている。
【００３２】
発注装置１を示す情報とは、発注装置１のＩＰ（Internet Protocol ）、ＩＤ等の識別情報である。なお、発注装置１を示す情報として、発注事業所を特定する名称、識別情報等の情報を代替して用いても良い。
【００３３】
番号標の地名とは、番号標を交付する陸運支局を示す地名であり、陸運支局名、地域名、県名等の名称が主に用いられる。
【００３４】
番号標の種類とは、地域独自のデザインが施されたペイント式、文字部分が発光するように加工された字光式等の種類がある。
【００３５】
番号標の用途とは、番号標を取り付ける車両の用途であり、自家用、事業用等の用途がある。
【００３６】
番号標の種別とは、番号標を取り付ける車両の種別であり、登録自動車に取り付ける自動車登録番号標、軽自動車及び二輪小型自動車に取り付ける車両番号標、小型特殊自動車及び原動機付き自転車に取り付ける標識等の種別がある。
【００３７】
番号標の大小とは、番号標自体の大きさを示す情報であり、大型番号標、中型番号標、小型番号標等に区分される大きさがある。
【００３８】
枚数とは、車両に応じて決定される取付枚数であり、例えば、前後に取り付ける車両については、２枚等の枚数がある。
【００３９】
分類とは、車両の分類を示す数字であり、普通貨物車を示す「１」、普通乗用車を示す「３」、小型乗用車を示す「５」等の数字で示される分類がある。なお、数字が複数桁になる場合、上一桁の数字で車両の分類が示される。
【００４０】
かなとは、ひらがな一文字で示される情報であり、自家用、事業用等の用途によって異なる文字が割り当てられる。
【００４１】
以上のように、全在庫データベース２１０には、各発注事業所の在庫が記録されており、また、各発注事業所が管理する発注装置１の在庫データベース１１０の内容と同様の内容となるように同期がとられる。なお、各発注装置１の在庫データベース１１０には、全在庫データベース２１０における当該発注装置１に関する在庫に係る情報と同様の情報が在庫に係る情報として記録されている。但し、自機を示す発注装置１の識別情報は除かれていても良い。
【００４２】
受注データベース２１１は、発注事業所から受注した番号標に係る情報を受注情報として記録するデータベースである。図５は、本発明に係る受注装置２が備える受注データベース２１１の記録内容の一例を概念的に示す説明図である。受注データベース２１１は、発注装置１の発注データベース１１１と対応するデータベースである。受注データベース２１１には、発注装置１を示す情報に対応付けて、受注日、納期、番号標の開始番号及び終了番号等の情報が記録されている。
【００４３】
受注日は、発注事業所から受注した日を示す情報である。納期は、受注した番号標の納期を示す情報である。
【００４４】
開始番号は、受注した納入すべき番号標の開始番号を示す情報であり、終了番号は、受注した納入すべき番号標の終了番号を示す情報である。番号標は、数字、かな等の区分を示す各種符号と共に、連続する一連指定番号が示されている。受発注の際は、開始番号と、終了番号とを指定することにより、その間の一連指定番号を付与された番号標が受発注されたことになる。ただし、欠番は受発注の対象から除かれる。
【００４５】
以上のように、受注データベース２１１には、各発注事業所から発注された内容が、発注元の発注事業所に係る発注装置１に対応付けて記録される。なお、各発注装置１の発注データベース１１１には、受注データベース２１１における当該発注装置１に関する受注に係る情報と同様の情報が発注に係る情報として記録されている。但し、自機を示す発注装置１の識別情報は除かれていても良い。
【００４６】
全納入データベース２１２は、発注事業所からの受注に基づき納入した番号標に係る情報を納入情報として記録するデータベースである。図６は、本発明に係る受注装置２が備える全納入データベース２１２の記録内容の一例を概念的に示す説明図である。全納入データベース２１２は、各発注装置１に記憶されている納入データベース１１２の記録内容を統合したデータベースであり、発注装置１毎に管理されるデータベースの内容が記録されている。全納入データベース２１２には、発注装置１を示す情報に対応付けて、納入日、番号標の表示内容が記録されている。
【００４７】
納入日は、発注事業所に番号標を納入した日を示す情報である。番号標の表示内容は、納入した番号標の数字、かな等の区分を示す符号及び一連指定番号を示している。
【００４８】
以上のように、全納入データベース２１２には、各発注事業所に納入した番号標を示す情報が、納入先の発注事業所に係る発注装置１に対応付けて記録される。なお、各発注装置１の納入データベース１１２には、全納入データベース２１２における当該発注装置１に関する納入に係る情報と同様の情報が記録されている。但し、自機を示す発注装置１の識別情報は除かれていても良い。
【００４９】
全欠番マスタ２１３は、一連して番号の払い出しから除外する欠番を示す欠番情報を記録するデータテーブルである。図７は、本発明に係る受注装置２が備える欠番マスタ１１３の記録内容の一例を概念的に示す説明図である。全欠番マスタ２１３は、各発注装置１に記憶されている欠番マスタ１１３の記録内容を統合したデータテーブルであり、発注装置１毎に管理されるデータテーブルの内容が記録されている。全欠番マスタ２１３には、発注装置１を示す情報に対応付けて、欠番情報が記録されている。
【００５０】
欠番情報は、「４２」等の縁起が悪いとされる番号、希望番号制度により指定された番号、希望が多いため抽選となる「７７７」等の納入を除外する番号を欠番として示している。欠番情報は、発注事業所毎に指定されるため、発注装置１を示す情報に対応付けて欠番情報が記録される。
【００５１】
以上のように、全欠番マスタ２１３には、各発注事業所から指定された欠番を示す情報が、指定元となる発注事業所に係る発注装置１を示す情報に対応付けて記録される。なお、各発注装置１の欠番マスタ１１３には、全欠番マスタ２１３における当該発注装置１に関する欠番情報と同様の情報が記録されている。但し、自機を示す発注装置１の識別情報は除かれていても良い。
【００５２】
発注点マスタ２１４（発注条件テーブル）は、番号標の在庫に基づいて発注を促す発注条件を示す発注条件情報を記録するデータテーブルである。図８は、本発明に係る受注装置２が備える発注点マスタ２１４の記録内容の一例を概念的に示す説明図である。発注点マスタ２１４には、発注装置１を示す情報に対応付けて発注条件情報が記録されており、発注条件情報にには、対象、優先順、発注点、準備点等の項目に係るデータが記録されている。なお、図８（ａ）は、記録すべきデータの項目を示しており、図８（ｂ）は、その具体例を示している。
【００５３】
対象とは、発注条件に該当するか否かを判別する対象を示している。優先順とは、複数の条件に合致する場合の優先度を示している。発注点とは、発注を行う条件を示している。準備点とは、発注点には到達していないものの、発注時期が迫っているため、納入のための準備を開始すべき時期に到達したと判別する条件であり、発注条件の補助的な役割を持つ。
【００５４】
発注条件情報は、発注装置１の識別情報にて示される発注事業所毎に、また番号標の区分毎に設定されている。例えば、図８（ｂ）に例示した大阪運輸支局にて発行される番号標として、地名：大阪については、「種類：ペイント、用途：自家用、大小：大型番号標、優先順：３、発注点：３０台、準備点：６０台」、「種類：ペイント、用途：自家用、大小：大型番号標、かな：そ、優先順：１、発注点：２０台、準備点：４０台」及び「種類：ペイント、用途：なし、大小：大型番号標、分類：１００、優先順：２、発注点：１０台、準備点：３０台」との発注条件情報が示されている。
【００５５】
この場合、例えば、「大阪、２００、は、大型番号標、自家用」の番号標の在庫が、１０台分を切ると発注を促すべき発注点に到達したと判別される。ただし、「大阪、１００、そ、大型番号標、自家用」の場合では、優先順が小さい方が優先されることになるため、番号標の在庫が２０台分を切ると発注点に到達したと判別される。同様にして、「大阪、１００、そ、大型番号標、事業用」の番号標の在庫が、３０台分を切ると発注点に到達したと判別される。
【００５６】
以上のように、発注点マスタ２１４には、各発注事業所に発注を促す発注条件を示す発注条件情報が発注元となる発注事業所に係る発注装置１に対応付けて記録される。
【００５７】
このように構成された本発明に係る番号標受発注システムの発注装置１及び受注装置２の処理について説明する。図９は、本発明の番号標受発注システムにて用いられる発注装置１及び受注装置２の受発注処理の一例を示すフローチャートである。受発注処理は、発注装置１及び受注装置２において、在庫の確認から受発注、更に納品までの処理である。
【００５８】
発注装置１の制御部１０は、その日の業務終了を契機として、在庫データベース１１０を更新する（Ｓ１０１）。業務終了の契機には、操作者の特定の入力、所定時刻への到達等の契機を設定することができる。在庫データベース１１０の更新は、納入された番号標について在庫への追加、出荷した番号標についての在庫からの削除等の処理である。番号標は包装袋に包装された状態で出荷される。包装袋には二次元バーコード等の識別標が貼付されており、識別標をバーコードリーダ等の読取装置で読み取り、読取装置が読み取った識別標に示されている番号標に係る情報を発注装置１に入力することにより、出荷管理が行われる。
【００５９】
発注装置１の制御部１０は、１日分のバッチ処理として更新した在庫データベース１１０の変化を示す変化情報を、通信部１３から通信網ＮＷを介して受注装置２へ送信する（Ｓ１０２）。ステップＳ１０２では、例えば、その日に出荷した識別標を示す情報が変化情報として送信される。
【００６０】
変化情報を受信した受注装置２の制御部２０は、受注プログラムＰＲＧを実行することにより、以下に示す一連の処理を実行する。即ち、制御部２０は、受信した変化情報に基づいて、全在庫データベース２１０を更新する（Ｓ１０３）。ステップＳ１０３では、受信した変化情報に基づいて、送信元の発注装置１に対応付けて記録されている在庫情報を更新する。
【００６１】
受注装置２の制御部２０は、更新後の全在庫データベース２１０に記録された情報にて示される当該発注事業所における番号標の在庫が、発注点マスタ２１４に記録されている発注条件情報にて示される発注条件に該当するか否かを判別する（Ｓ１０４）。
【００６２】
ステップＳ１０４において発注条件に該当すると判別した場合（Ｓ１０４：ＹＥＳ）、受注装置２の制御部２０は、当該発注事業所における発注装置１からの発注の候補となる番号標の開始番号及び終了番号を決定する（Ｓ１０５）。番号標の開始番号は、例えば、全納入データベース２１２を参照することにより、それまでに納入している番号標の納入実績から次に納入すべき番号を決定することができる。番号標の終了番号は、例えば、予め発注事業所及び番号標の区分毎に何番単位で納入するかを設定しておくことにより決定することができる。
【００６３】
受注装置２の制御部２０は、決定した開始番号及び終了番号、並びに欠番テーブルに記録されている欠番情報が示す番号に基づいて、番号標の発注の候補となる候補番号を決定する（Ｓ１０６）。ステップＳ１０６では、開始番号から終了番号までの間に含まれる一連指定番号のうちから、欠番情報が示す番号を除外することにより、候補番号を決定する。
【００６４】
そして、受注装置２の制御部２０は、決定した候補番号を示す候補番号情報を、通信部２３から通信網ＮＷを介して発注装置１へ送信する（Ｓ１０７）。なお、送信する候補番号情報には、発注に係る納期等のその他の情報も示される。
【００６５】
なお、ステップＳ１０４において、発注条件に該当しないと判定した場合（Ｓ１０４：ＮＯ）、受発注処理を終了する。なお、終了の前に、発注点マスタ２１４を参照し、準備点として示される準備条件に該当する場合は、その旨を出力した上で、処理を終了する。
【００６６】
候補番号情報を受信した発注装置１の制御部１０は、候補番号情報にて示される候補番号を、発注予定一覧として出力部１５から出力する（Ｓ１０８）。ステップＳ１０８では、例えば表示部への表示として出力される。発注事業所の担当者は、出力された候補番号を確認し、発注確定の入力を行う。なお、発注確定に際し、出力された候補番号情報をそのまま発注するようにしても良く、また必要に応じて発注の追加、削減、納期の変更等の修正を加えるようにしても良い。
【００６７】
発注装置１の制御部１０は、入力部１４から発注確定の入力を受け付け（Ｓ１０９）、確定された発注内容に基づく発注確定情報を通信部１３から通信網ＮＷを介して受注装置２へ送信する（Ｓ１１０）。
【００６８】
発注確定情報を受信した受注装置２の制御部２０は、発注確定情報に基づき受注内容を確定し、確定した受注内容で受注データベース２１１を更新し（Ｓ１１１）、受注処理を行った上で（Ｓ１１２）、受注確定情報を通信部２３から通信網ＮＷを介して発注装置１へ送信する（Ｓ１１３）。ステップＳ１１３の受注処理とは、担当部署に対する番号標の納品指示等の受注に係る一連の処理である。
【００６９】
受注確定情報を受信した発注装置１の制御部１０は、受信した受注確定情報を出力部１５から出力する（Ｓ１１４）。
【００７０】
そして、受注事業体は、受注した番号標を納品し、受注装置２の制御部２０は、全在庫データベース２１０及び全納入データベース２１２の記録内容を更新する（Ｓ１１５）。発注事業所は、納品された番号標を管理し、発注装置１の制御部１０は、在庫データベース１１０及び納入データベース１１２の記録内容を更新する（Ｓ１１６）。
【００７１】
このような受発注処理は、各発注装置１と受注装置２との間で行われる。なお、受注装置２では、それぞれの発注装置１から変化情報を受信する都度、受発注処理を実行するようにしても良いが、全ての発注装置１から変化情報を受信後、纏めて受発注処理を実行するようにしても良い。このようにして本発明の番号標受発注システムにおける受発注処理が実行される。
【００７２】
図１０は、本発明の番号標受発注システムにて用いられる発注装置１及び受注装置２の欠番情報同期処理の一例を示すフローチャートである。欠番情報同期処理とは、発注装置１又は受注装置２にて欠番情報の追加等の更新を行った場合に、発注装置１及び受注装置２の双方で欠番情報を共有する処理である。以下では、発注装置１側で欠番情報の更新を開始した場合の例について説明する。
【００７３】
発注装置１の制御部１０は、入力部１４から欠番情報を更新する入力を受け付ける（Ｓ２０１）。欠番情報を更新する入力は、例えば、発注事業所の担当者がキーボードを使用して入力することにより行われる。欠番情報の更新とは、例えば、希望番号制度により新たな番号が指定された場合に、指定された番号の欠番としての追加である。
【００７４】
発注装置１の制御部１０は、入力された欠番情報に基づいて、欠番マスタ１１３を更新し（Ｓ２０２）、更新した内容を示す欠番更新情報を、通信部１３から通信網ＮＷを介して受注装置２へ送信する（Ｓ２０３）。
【００７５】
欠番更新情報を受信した受注装置２の制御部２０は、欠番更新情報に基づいて全欠番マスタ２１３を更新する（Ｓ２０４）。
【００７６】
なお、受注装置２側で欠番情報を更新する入力を受け付けた場合、受注装置２は、全欠番マスタ２１３を更新後、対応する発注事業所の発注装置１に対して欠番更新情報を送信する。このようにして、欠番情報同期処理が行われる。
【００７７】
以上のように、本発明に係る番号標受発注システムは、受注装置２において、発注の候補となる開始番号及び終了番号、並びに番号標の納入から除外する欠番に基づいて、発注の候補となる候補番号を決定し、発注装置１へ送信する。これにより、発注元となる各地域の発注事業所は、受信した候補番号に基づいて発注すれば良いので、受発注に関する作業を自動化することが可能である等、優れた効果を奏する。具体例として、発注事業所において、在庫量を適正に保ち、欠番を加味した発注を行うことが可能である等、優れた効果を奏する。また、受注事業体においては、適正な時期に受注することができ、また、事前に納入の準備を開始することも可能である等、優れた効果を奏する。
【００７８】
前記実施の形態は、本発明の無数に存在する実施例の一部を開示したに過ぎず、目的、用途、仕様、設定等の様々な要因を加味して適宜設計することが可能である。
【００７９】
特に，発注装置１及び受注装置２の構成は、複数の装置にて実現しても良く、更には、複数の場所に設置した複数の装置を受注装置２として取り扱う等、適宜設計する事が可能である。
【００８０】
また、各データベース及びデータテーブルの構成は、例示したものに限らず、適宜設計することが可能であり、例えば、例示した様なテーブル形式のデータ構成に限らず、リレーショナルデータベースとして連携させることも可能である。更には、発注装置１及び受注装置２で在庫データベース１１２，２１０を共有する等、適宜設計することが可能である。
【符号の説明】
【００８１】
１  発注装置
１０  制御部
１１  記録部
１１０  在庫データベース
１１１  発注データベース
１１２  納入データベース
１１３  欠番マスタ
１２  記憶部
１３  通信部
１４  入力部
１５  出力部
２  受注装置
２０  制御部
２１  記録部
２１０  全在庫データベース
２１１  受注データベース
２１２  全納入データベース
２１３  全欠番マスタ
２１４  発注点マスタ
２２  記憶部
２３  通信部
２４  入力部
２５  出力部
ＮＷ  通信網
ＰＲＧ  受注プログラム
【図１】
2015045991.tif 000003
【図２】
2015045991.tif 000004
【図３】
2015045991.tif 000005
【図４】
2015045991.tif 000006
【図５】
2015045991.tif 000007
【図６】
2015045991.tif 000008
【図７】
2015045991.tif 000009
【図８】
2015045991.tif 000010
【図９】
2015045991.tif 000011
【図１０】
2015045991.tif 000012